(57)【要約】【課題】キッチン用に適用されるチャンバ−を備えたサイフォン排水システムであり、チャンバ−内が排水で満杯となっても通気管内に水が入り込まないようにする技術であり、狭いスぺ−スでも通気管を配置することを可能とした技術を提供するものである。【解決手段】水廻り機器と、これに接続した貯留槽と、当該貯留槽より吸引力を付与した排水管と、更にこの貯留槽に通気管を接続したサイフォン排水システムであって、通気管の最上部が前記水廻り機器の底部よりも高くなっている貯留槽を備えたサイフォン排水システムであり、最適には、通気管の一部がキッチンボウル満水時の水面より高くなっている。２Ａ‥水廻り機器（キッチンボウル）、２Ｂ‥トラップ、３Ａ‥サイフォン排水管、４Ａ‥チャンバ−、５Ａ‥通気管、５Ａ０‥通気管の最高位、５Ａ１‥チャンバ−内を貫通する通気管、６Ａ‥排水導管、ＦＬ‥床フロア、Ｓ‥コンクリ−トスラブ。【選択図】図２
2008075428.tif 000002
【特許請求の範囲】
【請求項１】
水廻り機器と、これに接続した貯留槽と、当該貯留槽より吸引力を付与した排水管と、更にこの貯留槽に通気管を接続したサイフォン排水システムであって、通気管の最上部が前記水廻り機器の底部よりも高くなっていることを特徴とする貯留槽を備えたサイフォン排水システム。
【請求項２】
前記通気管が貯留槽の頂上部に接続され、かつ、この通気管が貯留槽内部を突き抜けて外部に導かれている請求項１記載の貯留槽を備えたサイフォン排水システム。
【請求項３】
前記水廻り機器がキッチンボウルであり、通気管の一部が当該キッチンボウルの半分より高くなっている請求項１又は２記載の貯留槽を備えたサイフォン排水システム。
【請求項４】
通気管の一部がキッチンボウル満水時の水面より高くなっている請求項３記載の貯留槽を備えたサイフォン排水システム。                                                  
【発明の詳細な説明】
【技術分野】
【０００１】
本発明はサイフォン排水システムの改良に関するものであり、特に言えば、貯留槽（以下、チャンバ−という）を備えたサイフォン排水システムにおける通気管の改良に係るものである。
【背景技術】
【０００２】
近年、従来から採用されている勾配排水システムに変わってサイフォン排水システムが開発されている（特許文献１、２）。図１は集合住宅に適用されるサイフォン排水システムの基本構造を示す図であり、排水立て管１と、水廻り機器２と、この両者を結ぶ比較的細い排水管３とからなり、排水管３は基本的にスラブＳ面に平行に敷設され、当該排水管３の出口はスラブＳよりも低い位置（水頭差Ｈｓ）で排水立て管１に合流される排水システムである。
【０００３】
そして、排水管３内の水は水廻り機器２との水頭差Ｈｐの圧力によって入口側より押されて満流をもって移動し、一方、出口側の水頭差Ｈｓによって発生する吸引力によって係る排水管３内の水が急速に排水されるシステムである。排水管３はかかる水頭差ＨｐとＨｓによって排水管３内を満流にて流れる水に吸引力を付与することとなり、いわゆるサイフォンを発生させることとなる。
【０００４】
【特許文献１】特開２０００−２９７２４４号公報
【０００５】
【特許文献２】特開２００３−２０１７２７号公報
【０００６】
しかるに、水廻り機器が例えばユニットバス・洗濯機・洗面器・キッチン用のものにあっては、いわゆる溜め流しが行われるため、これに対応するようにチャンバ−４を備えられたものでなくてはならない。チャンバ−４には各水廻り機器２ａ、２ｂ、・・・・から排水導管５によって排水が一時ここに溜められ、その後排水管３に流される水回路とされる。このようなチャンバ−４を水回路中に備えたサイフォン排水システムにあっては、チャンバ−４内に水が流入し、又排水される際に生じるチャンバ−４内のエアの給排気を行う通気管５が必要となる。
【０００７】
かかる通気管５には水が入ると通気ができないことから、通気管５には水が侵入してはならず、このため、チャンバ−４の頂上部近傍に通気管５の出入口が設けられている。そして、通気管５はチャンバ−４に備えられるものであるが、チャンバ−４は比較的狭いスぺ−ス内に納めることが要求され、この通気管５を配置するためのスペ−スが取れない場合もある。
【発明の開示】
【発明が解決しようとする課題】
【０００８】
本発明は以上のような従来の課題を解決しようとするものであり、その１はチャンバ−内が排水で満杯となっても通気管内に水が入り込まないようにする技術であり、第２は狭いスぺ−スでも通気管を配置することを可能とした技術を提供するものである。
【０００９】
更に具体的には、キッチン用に特に適用されるチャンバ−を備えたサイフォン排水システムを提供するものである。
【課題を解決するための手段】
【００１０】
本発明の要旨は、水廻り機器と、これに接続した貯留槽と、当該貯留槽より吸引力を付与した排水管と、更にこの貯留槽に通気管を接続したサイフォン排水システムであって、通気管の最上部が前記水廻り機器の底部よりも高くなっていることを特徴とする貯留槽を備えたサイフォン排水システムにかかるものである。
【００１１】
具体的には、水廻り機器がキッチンボウルであり、このキッチンボウル半分より上側に通気管の一部が位置するのが好ましく、キッチンボウル満水時の水面より高くなっているのが最適である。
【発明の効果】
【００１２】
通気管がキッチンボウル満水時の水面よりその一部が高くなる請求項１にあっては、チャンバー内の排水が通気管内に入ることはなく、チャンバ−の頂上部に接続される通気管がチャンバ−内部を突き抜けて外部に導かれる請求項２にあっては、チャンバ−のための特別なスぺ−スを必要としないという特徴があり、比較的狭い箇所にもチャンバ−を設置できるという効果があることとなる。
【発明を実施するための最良の形態】
【００１３】
本発明のサイフォン排水システムの開発経緯は以下の通りである。今まで、チャンバ−を備えたサイフォン排水システムの開発はサニタリ−を中心に開発が進められてきた。即ち、チャンバ−に接続される水廻り機器が、ユニットバス・洗濯機・洗面器であり、備えられるチャンバー容量は、サイフォンが起動するまで、排水される最大量を貯水できる分の容量を有すること、サイフォン排水管の処理能力は接続された器具が最大流量で同時排水された場合よりも大きい処理流量を確保し、サイフォン開始後にチヤンバー内の水位が上昇しないこと、という設計であった。
【００１４】
接続された水廻り機器の溜め流し時の最大排水量が、ユニットバスが約１．０（Ｌ／秒）、洗濯機が約０．７（Ｌ／秒〕、洗面器が約０．５（Ｌ／秒）程度であるため、トータルでは、最大で２．２（Ｌ／秒）の排水されることとなっていた。そのため、サイフォン起動までにチャンバ−内に流入する量から、チャンバー容量は５０（Ｌ）程度にし、サイフォン排水管を２０Ａにおいては、横引き長さが５ｍ程度までであれば１本あたり０．７５（Ｌ／秒）処理できるので３本で配管し、それ以上長くなる場合は４本で配管する等の対応で設計していた。
【００１５】
このような設計にすることによって、どんなに過剰な排水をされても、サイフォン開始前にチャンバーから溢れてくることもなく、又、サイフォン開始後にもチャンバーから溢れてくることのない設計が可能であった。
【００１６】
しかしながら、しかも、接続される水廻り機器が少なかった場合、例えば、キッチン等の場合であったりした際には、明らかに過剰品質となり、コスト高は勿論、場合によってはチャンバ−等のシステムが大きくなり、一定の場所への収まりができないという欠点もあった。
【００１７】
ここで水廻り機器としてキッチンを考えると、チャンバーに接続される器具はキッチン一つ（場合により、食洗機も接続）になる。そのため、サニタリー用のように同時使用等は考慮の必要がなく、又、ユニットバスや洗濯機のように溜め流しの頻度はほとんどなく、またあった場合でも、ユニットバスのように連続排水の状態が数分間続くようなものではなく、短期的（数秒〜１分）な負荷だけとなる。そのような観点から判断した場合、キッチン用チャンバーをサニタリー用チャンバーと同じコンセプトで設計することは、過剰スペックとなっていた上に、あまりに過度の条件時に対応するように設計することは、逆に通常の連続排水の際に上手くサイフォンが発生せずに、詰まりが発生する等の欠点ももたらしていた。
【００１８】
例えば、もし上記のコンセプトを両方クリアするように、キッチン用チャンバーを設計した場合、キッチンから満水で、排水した場合は１．０（Ｌ／秒）程度の排水がされる。これをサイフォン排水管の処理能力は接続された器具が最大流量で同時排水された場合よりも大きい処理流量を確保し、サイフォン開始後にチヤンバー内の水位が上昇しないこと、という設計を充足するには、２０Ａにおいてはサイフォン排水管が２本必要になる。しかし、普段行う連続排水においては、０．４（Ｌ／秒）程度であり、基本的には連続排水だけなので２本目は使われない。ただし、稀に溜め流ししても、０．３（Ｌ／秒）しか流れず、サイフォンが発生することは更に少ないので、管内に詰まりや汚れの原因になることとなった。
【００１９】
更に、キッチンの現実的な使われ方は、キッチンボウル内に水を（ほぼ満水に）溜めて使用することは皆無に等しい。ただ、別に小型の桶を用意してそこに水を溜めて食器を洗ったりすることが多い。即ち、唯一溜め流しと同様の排水をしようされるのは、桶からの水を流したような場合であり、言い換えれば、サイフォン排水管を１本にし、連続排水の処理をスムーズにしたうえで、チャンバー容量を桶と同じ大きさにすれば、チャンバーから水が溢れることないので、実際上はなんら問題がないと言える。
【００２０】
しかし、万が一、キッチンを満水に溜めるようなことがあった場合、チャンバ−の容量が小さい場合には、通気管内に排水が入り込むことになって、そのため、その後の排水に支障をきたすことが考えられる。そこで、このような方法においても、通気管に水が入り込まないような工夫が必要である。
【００２１】
さて、チャンバ−には内部のエアの吸排気のための通気管が備えられるが、この通気管内に水が入り込むことは好ましくなく、水が入り込むことにより通気ができなくなり、排水時の騒音の発生につながり、或いは黴・異臭の発生や通気抵抗が大きくなってしまうという欠点があった。このため、本発明の請求項１は通気管内にチャンバ−内の排水が入り込まない構造としたものであり、水廻り機器が満水になった場合の水位より通気管の最上部が高くなっていることを特徴とするものである。キッチン用のシステムにあっては、キッチンボウルの満水時の水位よりも通気管の背丈を高くすることによって解決できたものである。前記したサニタリ−用のシステムにも適用可能である。
【００２２】
尚、キッチンボウルと通気管との関係を更に言えば、通気管の最上部がキッチンボウルの半分より上程度で十分である。即ち、キッチン満水の水位まで通気管を上げなくても、その間に発生するサイフォン排水により下がる水位も考慮すればキッチンボウルの半分より上程度まで上げておけばほぼ十分である。
【００２３】
そして、本発明の請求項２はかかる通気管の存在が然程邪魔にならない構造としたものであり、通気管がチャンバ−の頂上部に接続され、かつ、この通気管がチャンバ−内部を突き抜けて外部に導かれていること構造としたものである。即ち、この構造とすればチャンバ−の外側に通気管が存在するのではなく、チャンバ−の内側に通気管が存在することとなるので、狭いスぺ−ス等への収まりも極めてよくなるという特徴を持つものである。この発明も前記したサニタリ−用のシステムにも適用可能である。
【実施例】
【００２４】
以下、具体例をもって本発明を更に説明する。図２は集合住宅におけるキッチンに適用した本発明の概念図であり、水廻り機器としてのキッチンボウル２Ａと、コンクリ−トスラブＳ上に無勾配にて敷設されたサイフォン排水管３Ａとからなり、この間にチャンバ−４Ａが接続されている。即ち、キッチンボウル２Ａに備えられたトラップ２Ｂとチャンバ−４Ａ間を排水導管６Ａにて結び、チャンバ−４Ａの底部に排水管３Ａが接続された構造である。排水管３Ａはサイフォン力が働く部位であり、図示しない排水立て管に水頭差Ｈｓをもって接続されるものである。
【００２５】
５Ａは通気管であり、請求項１の発明のようにチャンバ−４Ａの頂上部に接続されかつ上方に伸びており、その最高位５Ａ０はキッチンボウル２Ａの満水時の水位よりも上にある。そして、通気管５Ａはキッチンボウル２Ａの裏側に備えられており、これによって高さ的に邪魔になることはない。このような構成をすることによって、キッチンボウル２Ａ内が満水状態となったとしても、又、これを一気に排水したとしても通気管５Ａ内に水が入り込むことは全くなくなる。尚、図中ＦＬは床フロアである。
【００２６】
通気管５Ａについて更に述べると、これをそのまま排水立て管へ向かって伸びる構造とすることができるが、例えば、請求項２のように最高位５Ａ０から垂直に下がった通気管５Ａはこのままチャンバ−４Ａ内を貫通５Ａ１し、そのまま図示しない排水立て管へ向かって伸びる構造とすることもできる。この例によれば、チャンバ−４Ａが収まるスぺ−スがあれば、通気管５Ａも又所定の位置に収まる構造となったものであり、チャンバ−４Ａの収まりのみを満たせばよく、サイフォン排水システムの敷設作業性が楽に行えるようになる。
【００２７】
図２にて示す例は、請求項１と請求項２とを組み合わせた構成であり、両発明の優れた点を同時に採用することにより溜め流しが行われる水廻り機器における対応が容易に行えるようになったものである。
【産業上の利用可能性】
【００２８】
本発明は溜め流しが行われる水廻り機器対策として優れたシステムであり、キッチン用システムとして勿論であるが、その他の同様の水廻り機器に採用可能であることは言うまでもない。
【図面の簡単な説明】
【００２９】
【図１】図１は集合住宅に適用されるサイフォン排水システムの基本構造を示す図である。
【図２】図２は本発明のサイフォン排水システムの別例を示す図である。
【符号の説明】
【００３０】
２Ａ‥水廻り機器（キッチンボウル）、
２Ｂ‥キッチンボウルに備えられたトラップ、
３Ａ‥サイフォン排水管、
４Ａ‥チャンバ−、
５Ａ‥通気管、
５Ａ０‥通気管の最高位、
５Ａ１‥チャンバ−内を貫通する通気管、
６Ａ‥排水導管、
ＦＬ‥床フロア、
Ｓ‥コンクリ−トスラブ。
【図１】
2008075428.tif 000003
【図２】
2008075428.tif 000004